(57)【要約】      （修正有）【課題】大腿部アームの少なくとも１つが長さ調整機構を有するタイプの整形外科用膝支持具を提供する。【解決手段】大腿部アーム５の少なくとも１つが、大腿部アームの少なくとも１つ又は他方の内側−外側角度移動を生み出すようにアームの少なくとも１つの長さを調整するための長さ調整機構を有するタイプの膝支持具１であって、調整機構１６は、少なくとも１つのペアの戻り止め部を有する戻り止め要素に連結されたトグル機構を有し、トグル機構は、少なくとも１つのペアの戻り止め部がスライドの少なくとも１つの戻り止め凹部のペア内で係合して係止される第１の位置と、大腿部アームの少なくとも１つの長さの調整を可能とするように少なくとも１つのペアの戻り止め凹部との係合から外れるような移動のために少なくとも１つのペアの戻り止め部を解除する第２の位置とを有する膝支持具。【選択図】図２
2017127652.tif 000002
【特許請求の範囲】
【請求項１】
一対の大腿部アームの少なくとも一つが長さ調整機構を有するタイプの膝支持具であって、前記長さ調整機構は、
前記大腿部アームの前記少なくとも一つにおける第１の部分に連結されるスライドであって、その長さに沿って離間した戻り止め凹部のペアを有するトラックを具備するスライドと、
前記大腿部アームの前記少なくとも一つにおける第２の部分に連結されるレシーバであって、当該レシーバにおいて、前記大腿部アームの前記少なくとも一つの長さを変更するために前記スライドが長手方向に移動可能となっているレシーバと、
前記スライドの前記トラックに受容される戻り止め要素であって、その戻り止め機構が、前記大腿部アームの前記少なくとも一つにおける前記部分の位置を相互に対して係止するために戻り止め凹部の少なくとも一つのペアに係合可能な少なくとも一つのペアの戻り止め部を有する戻り止め要素と、
前記戻り止め要素に連結されるトグル機構であって、前記少なくとも一つのペアの戻り止め部が戻り止め凹部の前記少なくとも一つのペアの内側で係合して係止される第１の位置と、前記大腿部アームの前記少なくとも一つの長さの調節を可能にするため戻り止め凹部の少なくとも一つのペアとの係合外への動作のために前記少なくとも一つのペアの戻り止め部を解除する第２の位置とを有するトグル機構と、を備える膝支持具。
【請求項２】
前記戻り止め要素は、前記トグル機構が前記第２の位置に移動された場合に前記戻り止め部の前記戻り止め凹部との係合を解除するように、前記トラックと係合可能な付勢部材を有する請求項１に記載の膝支持具。
【請求項３】
前記付勢部材は、前記戻り止め要素に連結されるスプリングフィンガー又はプレート状部材を有する請求項１に記載の膝支持具。
【請求項４】
前記少なくとも一つのペアの戻り止め部は複数ペアの戻り止め部を含み、戻り止め凹部の前記少なくとも一つのペアは、前記複数ペアの戻り止め部と係合可能な複数ペアの戻り止め凹部を含む請求項１に記載の膝支持具。
【請求項５】
前記レシーバに覆われて前記スライドが移動可能となるチャンネルを形成するように、大腿部アームの前記少なくとも一つにおける第２の部分に取り付けられるカバープレートを更に備える請求項１に記載の膝支持具。
【発明の詳細な説明】
【技術分野】
【０００１】
関連出願の相互参照
本出願は、米国特許仮出願第６１／５６５，５７２号の非仮出願への転換である。
【０００２】
本発明は、大腿部アームの少なくとも１つが長さ調整機構を有するタイプの整形外科用膝支持具に関し、アームの少なくとも１つの長さの調整は、大腿部アームの少なくとも１つ又は他方の内側−外側角度移動をもたらす整形外科用膝支持具に関する。
【背景技術】
【０００３】
本発明が対象とするタイプの整形外科用膝支持具は、本発明者が共同発明者である特許文献１から知られている。この膝支持具の長さ調整機構は、大腿部アームの少なくとも１つに設けられるスロット付きガイドの形態のスライド機構と、それぞれの大腿部アームの両側間でスロット付きガイドのスロットを通り抜けて延在するねじによって、当該スロット付きガイドの長さに沿って選択された場所に固定可能であるスライダとを備える。したがって、スライダの実施形態及び１つの大腿部アームに長さ調整機構が設けられているか若しくは両方に設けられているかどうかに応じて１つから４つのねじから調整できるようにするためには、工具が必要とされる。
【０００４】
ＯＳＳＵＲ  ＨＦに譲渡された「Ａｄｊｕｓｔａｂｌｅ  Ｅｒｇｏｎｏｍｉｃ  Ｂｒａｃｅ」の表題の特許文献２は、人間工学的膝支持具を開示し、この人間工学的膝支持具は、上脚に沿って延びる上側支柱と、下脚に沿って延びる下側支柱とを含み、これらの支柱の各々は、伸縮式スライド機構を具備する長さ調整機構を有し、この機構では、支柱の受け入れ穴と係合するねじ込み式ノブが、いったん設定された長さを固定するために使用される。したがって、長さ調整機構を固定又は解除するために工具は必要とされない。しかしながら、ねじノブが十分には締め付けられていない場合、又はこれが使用中に緩んだ場合、長さ調整機構のスライドは自由に移動できるようになる。
【０００５】
ＤＪ  Ｏｒｔｈｏｐｅｄｉｃｓ，ＬＬＣに譲渡された「Ｏｒｔｈｏｐｅｄｉｃ  ｂｒａｃｅ  ｈａｖｉｎｇ  ｌｅｎｇｔｈ−ａｄｊｕｓｔａｂｌｅ  ｓｕｐｐｏｒｔｓ」の表題の特許文献３は、第１の長さ調整可能支持体と、第２の長さ調整可能支持体と、長さ調整のためのばね付勢式ボタンとを備える整形外科用支持具を開示する。長さ調整可能支持体の各々は、長手方向チャンネルと、チャンネル内における摺動式直立体とを有する。各摺動式直立体は複数の貫通穴を有し、各チャンネルの床部はばね付勢式ボタンを有する。ばね付勢式ボタンは、さらに、下端部における保持タブを有する。作業者がボタンを押し、そのときボタンの下端部の保持タブは穴を貫通して延在する。ボタンは各穴と係合可能であり、それにより、ボタンは、チャンネルに対して直立体の位置を積極的に係止する。直立体は、ボタンが押されたときにチャンネル内で摺動可能である。しかしながら、そのような機構は、テーブルの脚などの物体とボタンとの接触が不測の解除を引き起こしうるという不利益をもたらす。
【先行技術文献】
【特許文献】
【０００６】
【特許文献１】米国特許第６，９８１，９５７号
【特許文献２】米国特許第７，５３４，２２０号
【特許文献３】米国特許第７，１２８，７２３号
【発明の概要】
【発明が解決しようとする課題】
【０００７】
本発明の目的は、工具を使用することなく、使用中に調整機構を解除しにくいシンプルな方法で１又は複数の大腿部アームの長さ調整を可能にするように、上述の膝支持具の長さ調整機構を改良することである。
【課題を解決するための手段】
【０００８】
この目的は、スプリングアームを有する円形の戻り止めプレートと、戻り止めプレートの戻り止め部を支柱の切欠部（ノッチ）に係合させるためのレバーとを有するオーバートグリング係止機構を備える長さ調整機構を設けることによって達成される。特に、レバーの押圧作用が、円形の戻り止めプレートを押圧してスプリングアームを圧縮させ、それにより、戻り止め部は、支柱の軸方向移動を防止するために支柱の半円形の切欠部に入り（係止位置）、レバーの解除は、スプリングアームが戻り止め部を切欠部の中から持ち上げることを可能にして、軸方向調整を可能にする（解除位置）。
【図面の簡単な説明】
【０００９】
【図１】すべての後部ストラップが取り外された、本発明の長さ調整機構による膝支持具の部分前面図である。
【図２】すべての後部ストラップが取り外された、本発明の長さ調整機構による膝支持具の前面斜視図である。
【図３】係止部の部分的な分解斜視図である。
【図４】本発明の長さ調整機構の内側の部分的な分解斜視図である。
【図５】解除位置における係止機構の拡大された詳細を示す、図３のものと同様の図である。
【図６】係止位置における係止機構の拡大された詳細を示す、図３のものと同様の図である。
【図７】解除位置における長さ調整装置機構の拡大された詳細を示す、図４のものと同様の図である。
【図８】係止位置おける長さ調整装置機構の拡大された詳細を示す、図４のものと同様の図である。
【図９Ａ】解除位置における長さ調整装置機構の正面図である。
【図９Ｂ】図９ＡのラインＡ−Ａに沿った断面図である。
【図９Ｃ】図９ＡのラインＢ−Ｂに沿った断面図である。
【図１０Ａ】係止位置における長さ調整装置機構の正面図である。
【図１０Ｂ】図１０ＡのラインＣ−Ｃに沿った断面図である。
【図１０Ｃ】図１０ＡのラインＤ−Ｄに沿った断面図である。
【図１１（ａ）】係止機構の取り囲み部の平面図である。
【図１１（ｂ）】係止機構の取り囲み部の側面図である。
【図１２（ａ）】係止機構の戻り止め部材のスプリングフィンガーの方向の側面図である。
【図１２（ｂ）】戻り止め部材の斜視図である。
【図１２（ｃ）】戻り止め部材の上部平面図である。
【図１２（ｄ）】スプリングフィンガーの方向に対して９０°の方向の側面図である。
【図１３（ａ）】係止機構のリンク部材の斜視図である。
【図１３（ｂ）】リンク部材の側面図である。
【図１３（ｃ）】リンク部材の連結部に向かって見た端面図である。
【図１３（ｄ）】リンク部材の上部平面図である。
【図１４（ａ）】係止機構のロックレバーのヒンジ端部を示す図である。
【図１４（ｂ）】係止機構のロックレバーの上部平面図である。
【図１４（ｃ）】係止機構のロックレバーの斜視図である。
【図１４（ｄ）】係止機構のロックレバーの側面図である。
【図１５】長さ調整装置機構のスライド要素に連結される接合要素の内側の図である。
【図１６】係止位置における係止機構の拡大された詳細を伴う、術後支持具の改変された長さ調整装置機構の外側の斜視図である。
【図１７】係止位置における係止機構の拡大された詳細を伴う、図１６の改変された長さ調整装置機構の内側の斜視図である
【図１８】図１４（ａ）〜図１４（ｄ）に示す係止機構のロックレバーの改変されたバージョンを伴う、図１１（ａ）及び図１１（ｂ）に示す係止機構の取り囲み部の改変されたバージョンの分解図である。
【図１９】別の改変された長さ調節装置の内側の斜視図である。
【図２０】別の改変された長さ調節装置の外側の斜視図である。
【発明を実施するための形態】
【００１０】
最初に、図に示される矯正用膝支持具は説明的な例に過ぎず、本発明の以下の説明は、上述の特許文献１、特許文献３、及び特許文献２のものなどの、数多くの他のタイプの膝支持具にも適用可能であるとみなされるべきであることに留意される。図から分かるように、典型的には、膝支持具１は、内側及び外側の大腿部アーム５を連結する上部クロス片３と、内側及び外側の頸骨部アーム９連結する下部クロス片７と、外側の大腿部アーム及び頸骨部アームを連結し、内側の大腿部アーム及び頸骨部アームを連結する多心性（ｐｏｌｙｃｅｎｔｒｉｃ）ヒンジ機構１１とを備える。さらに、特許文献１のように、単心性（ｕｎｉｃｅｎｔｒｉｃ）ヒンジ１３が、多心性ヒンジ機構と大腿部アーム５との間に配設される。支持具を装着者の脚に保持するために、クロス片の内側サイド及び外側サイド、並びに／又は、内側及び外側の大腿部アーム及び頸骨部アームに連結する上側及び下側の後部ストラップは図示されていない。
【００１１】
次に、上記事項との関連で、本発明の長さ調整装置機構１６が説明される。
【００１２】
図３及び図４から、長さ調整装置機構１６の主な要素が分かる。そこには、大腿部アーム５のレシーバ２０内に摺動可能であるスライド１８と、スライド１８のトラック２４に受容される戻り止め要素２２であって、ねじ２６によってリンク２８に固定される戻り止め要素２２とが示されており、リンク２８は、取り囲み部３０の貫通開口部３０ａに移動可能に受け入れられ、スプリングピン３４によってロックレバー３２に連結される。さらに示されているのは二重ハンドル構成体３６であり、この二重ハンドル構成体３６は任意的であって図１６及び図１７に示される術後支持具の長さ調整装置機構からは省かれている。
【００１３】
図１２において分かるように、戻り止め要素２２は、プレート２２ａと、リンクがねじ２６によってその中に保持される貫通穴２２ｂと、一対の戻り止め部２２ｃと、一対のスプリングフィンガー（ａ  ｐａｉｒ  ｏｆ  ｓｐｒｉｎｇ  ｆｉｎｇｅｒｓ）２２ｄとを有する。図１３は、ねじ２６がその中にねじ込まれるねじ切りされた開口部２８ａと、それをロックレバー３２に連結するスプリングピン３４用の穴２８ｂとを示す。図１４は、スプリングピン３４用のレシーバ３２ａを示す。これらのレシーバは、その上に形成された偏心輪３２ｂを有する。図１５から明らかなように、トラック２４には、一連の凹部３８が側部に配置されている。これらの凹部は、戻り止め要素２２の戻り止め部２２ｃに適合される一方で、戻り止め部２２ｃは貫通穴２２ｂから外方向に延在し、トラック２４は、その貫通穴２２ｂを形成する壁の表面を誘導するようにサイズが設定されて形作られている。
【００１４】
ロックレバー３２が図５の位置に持ち上げられると、偏心輪３２ｂは、リンク２８から外れ、スプリングフィンガー２２ｄが戻り止め要素２２を持ち上げることを許容し、それによって戻り止め部２２ｃを凹部３８（図７）から係合解除させ、スライド１８をレシーバ２０内で移動させることを可能にする。しかしながら、レバー３２が、図５の位置から図６の位置に向きを変えたとき、偏心輪３２ｂは、リンク２８が外方向に引っ張られることをもたらし、それによってそれに戻り止め要素２２をスプリングフィンガー２２ｄの力に逆らって引っ張らせ、スプリングフィンガー２２ｄを圧縮し、それによって戻り止め部２２ｃが凹部３８のペアに係合される（図８）。レバーの上死点を超えたトグリングにより、それは適所に保持され、戻り止め部の係合が固定される。係止位置では、取り囲み部３０内のその位置決めにより、係止の不測の解除が起きないようにされる。
【００１５】
先に述べたように、図１６及び図１７は、すでに説明したものと作動的に同一である改変された長さ調整機構１６を示す。この実施形態の主な相違は、すでに述べたように任意選択のハンドルが無いことであり、大腿部アーム５’は、術後支持具で使用するように異なって構成されるという事実である。図１７はまた、より細かい調整が必要とされない場合、より少ない凹部３８を設けることができることも示す。
【００１６】
図１８は、係止機構用の改変されたロックレバー１３１を具備する改変された取り囲み部１３０を示す。取り囲み部１３０及びロックレバー１３１は、基本的には、図１１（ａ）及び図１１（ｂ）並びに図１４（ａ）〜図１４（ｄ）に示したものとは異なり、長さが医師によって設定された後に調整装置機構１１６のこの長さを固定するために、ロックレバー１３１における開口部１３１ｃ及び取り囲み部１３０における共働開口部１３０ｃがそれぞれ設けられる。特に、調整装置を設定された位置に係止する下方位置にロックレバー１３１があるとき（例えば図６及び図１６に示す）、ねじを締め付けて取り囲み部１３０の開口部１３０ｃを通ってロックレバー１３１における開口部１３１ｃ内に延在させることができ、それによって、ロックレバー１３１が上昇することを防止し、医師によって設定された調整装置の位置が偶発的に又はユーザによってリセットされることを防止する。
【００１７】
図１９及び図２０は、すでに説明したものと作動的に同一である別の改変された長さ調整装置の内側及び外側の斜視図である。この実施形態の主な相違は、スライド１１８の機能、戻り止め要素１２２、及びレシーバ１２０用のカバープレートを設けることにある。
【００１８】
最初に、スライド１１８をより十分に安定化させるために、例えば図４、７及び８に示すようなブラケットの代わりに、この好ましい実施形態では、カバープレート１４０が大腿部アーム５に取り付けられ、大腿部アーム５はスライド１１８が中で移動可能であるチャンネルを作り出すレシーバ１２０を超えて延在し、ロックレバー１３１が戻り止め要素１２２を引き寄せたときにかけられる張力による撓みを最小化する。
【００１９】
加えて、戻り止め要素１２２の構成は、図１２に示すものとは異なり、プレート１２２ａは、円形の代わりに矩形であり、穴２２ｂを境界付ける壁のサイドから突出するスプリングフィンガー２２ｄの代わりに、湾曲したプレート形状の部材が、プレート１２２ａの延長部として形成される。そのような構造は、戻り止め部１２２ｃを持ち上げてスライド１１８の凹部１３８との係合から外す効果的な手段を生み出すことがより容易である。この点に関し、図２０に最も容易に見ることができるように、図１２に示すような大きい半円形の戻り止め部２２ｃ上ではなく、戻り止め要素１２２には、スライド１１８の相補的なより小さい凹部１３８と係合可能であるいくつかのより小さい戻り止め部１２２ｃが設けられ、それによってより細かい度合いの調整をもたらす。
【図１】
2017127652.tif 000003
【図２】
2017127652.tif 000004
【図３】
2017127652.tif 000005
【図４】
2017127652.tif 000006
【図５】
2017127652.tif 000007
【図６】
2017127652.tif 000008
【図７】
2017127652.tif 000009
【図８】
2017127652.tif 000010
【図９Ａ】
2017127652.tif 000011
【図９Ｂ】
2017127652.tif 000012
【図９Ｃ】
2017127652.tif 000013
【図１０Ａ】
2017127652.tif 000014
【図１０Ｂ】
2017127652.tif 000015
【図１０Ｃ】
2017127652.tif 000016
【図１１（ａ）】
2017127652.tif 000017
【図１１（ｂ）】
2017127652.tif 000018
【図１２（ａ）】
2017127652.tif 000019
【図１２（ｂ）】
2017127652.tif 000020
【図１２（ｃ）】
2017127652.tif 000021
【図１２（ｄ）】
2017127652.tif 000022
【図１３（ａ）】
2017127652.tif 000023
【図１３（ｂ）】
2017127652.tif 000024
【図１３（ｃ）】
2017127652.tif 000025
【図１３（ｄ）】
2017127652.tif 000026
【図１４（ａ）】
2017127652.tif 000027
【図１４（ｂ）】
2017127652.tif 000028
【図１４（ｃ）】
2017127652.tif 000029
【図１４（ｄ）】
2017127652.tif 000030
【図１５】
2017127652.tif 000031
【図１６】
2017127652.tif 000032
【図１７】
2017127652.tif 000033
【図１８】
2017127652.tif 000034
【図１９】
2017127652.tif 000035
【図２０】
2017127652.tif 000036
【手続補正書】
【提出日】平成29年3月30日(2017.3.30)
【手続補正１】
【補正対象書類名】特許請求の範囲
【補正対象項目名】全文
【補正方法】変更
【補正の内容】
【特許請求の範囲】
【請求項１】
一対の大腿部アームのうち少なくとも一つが長さ調整機構を有する膝支持具であって、前記長さ調整機構は、
前記少なくとも一つの大腿部アームの第１の部分に連結されたスライドであって、その長さに沿って離間した戻り止め凹部の複数のペアを有するトラックを具備するスライドと、
前記少なくとも一つの大腿部アームの第２の部分に連結されたレシーバであって、当該レシーバ内を前記少なくとも一つの大腿部アームの長さを変更するために前記スライドが長手方向に移動可能となっているレシーバと、
前記スライドの前記トラックに受容される戻り止め要素であって、当該戻り止め要素は前記少なくとも一つの大腿部アームの前記第１及び第２の部分の位置を相互に対して係止するために前記戻り止め凹部の少なくとも一つのペアに係合可能な戻り止め部の少なくとも一つのペアを有する戻り止め要素と、
前記戻り止め要素に連結され、ロックレバーを有するトグル機構と、を備え、
前記ロックレバーは、前記戻り止め部の少なくとも一つのペアが前記戻り止め凹部の少なくとも一つのペアの内側で係合して係止される第１の位置と、前記少なくとも一つの大腿部アームの長さの調整を可能にするための前記戻り止め凹部の少なくとも一つのペアとの係合から外れる移動のために前記戻り止め部の少なくとも一つのペアを解放する第２の位置とを有し、
前記ロックレバーは、前記第１の位置から外れる不測の移動を起こさないように前記戻り止め部を保持するために前記第２の位置から前記第１の位置へと上死点を超える移動を行い、
前記ロックレバーは前記戻り止め要素に対して移動可能であり、前記ロックレバーが前記第２の位置から前記第１の位置へ移動されるときにのみ前記ロックレバーが前記戻り止め要素を前記スライドに向かって移動させる、
膝支持具。
【請求項２】
一対の大腿部アームのうち少なくとも一つが長さ調整機構を有する膝支持具であって、前記長さ調整機構は、
前記少なくとも一つの大腿部アームの第１の部分に連結されたスライドであって、その長さに沿って離間した戻り止め凹部の複数のペアを有するトラックを具備するスライドと、
前記少なくとも一つの大腿部アームの第２の部分に連結されたレシーバであって、当該レシーバ内を前記少なくとも一つの大腿部アームの長さを変更するために前記スライドが長手方向に移動可能となっているレシーバと、
前記スライドの前記トラックに受容される戻り止め要素であって、当該戻り止め要素は前記少なくとも一つの大腿部アームの前記第１及び第２の部分の位置を相互に対して係止するために前記戻り止め凹部の少なくとも一つのペアに係合可能な戻り止め部の少なくとも一つのペアを有する戻り止め要素と、
前記戻り止め要素に連結され、ロックレバーを有するトグル機構と、を備え、
前記ロックレバーは、前記戻り止め部の少なくとも一つのペアが前記戻り止め凹部の少なくとも一つのペアの内側で係合して係止される第１の位置と、前記少なくとも一つの大腿部アームの長さの調整を可能にするための前記戻り止め凹部の少なくとも一つのペアとの係合から外れる移動のために前記戻り止め部の少なくとも一つのペアを解放する第２の位置とを有し、
前記ロックレバーは、前記第１の位置から外れる不測の移動を起こさないように前記戻り止め部を保持するために前記第２の位置から前記第１の位置へと上死点を超える移動を行い、
前記戻り止め要素は前記スライドと係合可能な付勢部材を有し、前記付勢部材は前記トグル機構の前記ロックレバーが前記第２の位置に移動されるときに前記戻り止め部を前記戻り止め凹部との係合から外す、
膝支持具。
【請求項３】
前記付勢部材は、前記戻り止め要素に連結されたスプリングフィンガー又はプレート状部材を有する請求項２に記載の膝支持具。
【請求項４】
前記戻り止め凹部の少なくとも一つのペアは、前記戻り止め部の少なくとも一つのペアと係合可能な前記戻り止め凹部の複数のペアを含む請求項１に記載の膝支持具。
【請求項５】
前記少なくとも一つの大腿部アームの前記第２の部分に取り付けられたカバープレートを更に備え、前記カバープレートは前記レシーバを覆ってチャンネルを形成し、前記チャンネル内を前記スライドが移動可能である、請求項１に記載の膝支持具。
【請求項６】
一対の大腿部アームのうち少なくとも一つが長さ調整機構を有する膝支持具であって、前記長さ調整機構は、
前記少なくとも一つの大腿部アームの第１の部分に連結されたスライドであって、その長さに沿って離間した戻り止め凹部の複数のペアを有するトラックを具備するスライドと、
前記少なくとも一つの大腿部アームの第２の部分に連結されたレシーバであって、当該レシーバ内を前記少なくとも一つの大腿部アームの長さを変更するために前記スライドが長手方向に移動可能となっているレシーバと、
前記スライドの前記トラックに受容される戻り止め要素であって、当該戻り止め要素は前記少なくとも一つの大腿部アームの前記第１及び第２の部分の位置を相互に対して係止するために前記戻り止め凹部の少なくとも一つのペアに係合可能な戻り止め部の少なくとも一つのペアを有する戻り止め要素と、
前記戻り止め要素に連結され、ロックレバーを有するトグル機構と、を備え、
前記ロックレバーは、前記戻り止め部の少なくとも一つのペアが前記戻り止め凹部の少なくとも一つのペアの内側で係合して係止される第１の位置と、前記少なくとも一つの大腿部アームの長さの調整を可能にするための前記戻り止め凹部の少なくとも一つのペアとの係合から外れる移動のために前記戻り止め部の少なくとも一つのペアを解放する第２の位置とを有し、
前記ロックレバーは、前記第１の位置から外れる不測の移動を起こさないように前記戻り止め部を保持するために前記第２の位置から前記第１の位置へと上死点を超える移動を行い、
前記トグル機構は前記戻り止め要素に移動可能に連結され、前記ロックレバーが前記第２の位置から前記第１の位置へ移動されるときに前記ロックレバーが前記戻り止め要素を前記スライドに向かって引っ張る、
膝支持具。